(57)【要約】【課題】通信回線を利用して多数のユーザが同時に利用することができる設備管理における設備評価の表示システムを提供する。【解決手段】設備データベース１から設備データを検索する設備データ管理部５、地図データベース１から地図を検索する地図データ管理部７、クライアント計算機４との間の通信を行う通信部８を備えたサーバ計算機３と、評価項目を設定する評価方法設定部９、設定評価項目の送信要求を管理するユーザ設定管理部１０、サーバ計算機３から送信の設備データを管理する設備データ管理部１１、評価項目に応じた評価結果の図形を、共通データ作成部６，１２が生成する評価に必要な情報に限る共通データから作成する評価結果図形作成部１３，１４、評価結果の図形を表示するシンボル描画制御部１５、地図データを管理する地図データ管理部１６を備えたクライアント計算機４とを備えたものとする。【選択図】図１
2007248682.tif 000002
【特許請求の範囲】
【請求項１】
設備配置の地図データを保持する地図データベース、設備の図形及び属性を保持する設備データベース、上記地図データベース及び設備データベースに接続するサーバ計算機、ネットワークを経由して上記サーバ計算機で生成したデータを取得し表示するクライアント計算機を備え、
上記サーバ計算機は、上記設備データベースから必要な設備データを検索して取得する第一設備データ管理部と、上記地図データベースから上記クライアント計算機からの要求に応じた縮尺、種類及び範囲の地図を検索する地図データ管理部と、上記クライアント計算機からの要求の受信、上記検索された地図データ及び設備データの送信を行う通信部とを備え、
上記クライアント計算機は、ユーザから指定される設備の評価に関する評価項目を設定する評価方法設定部と、上記評価方法設定部で設定された評価項目を上記サーバ計算機に送信する要求を管理するユーザ設定管理部と、上記サーバ計算機から送信された設備データを管理する第二設備データ管理部と、上記評価項目に応じた評価結果の図形を生成する評価結果図形作成部と、上記評価結果図形作成部で作成した評価結果の図形を表示するシンボル描画制御部と、上記サーバ計算機への地図表示要求及び送信された地図データを管理する地図データ管理部と、上記地図データ管理部が管理する地図データから地図の表示及びユーザの要求に応じた地図の切替を行う地図描画制御部と、上記ユーザ設定管理部で生成する要求の送信並びにユーザ設定管理部から地図データ及び設備データの受信を行う通信部とを備え、
上記サーバ計算機または上記クライアント計算機は、上記設備データベースを検索して取得した設備データから設備の評価に必要な情報に限定した共通データを作成する共通データ作成部を備え、
上記評価結果図形作成部は、上記共通データ作成部で作成された共通データから上記評価項目に応じた評価結果の図形を生成する、
ことを特徴とする設備管理における設備評価の表示システム。
【請求項２】
上記共通データ作成部は、任意の保持形式の上記設備データに対応できるようにした共通データを作成することができる共通データインターフェースを備えていることを特徴とする請求項１記載の設備管理における設備評価の表示システム。
【請求項３】
上記評価結果図形作成部は、設備の複数の属性値に重み付をし、上記重み付けした設備の属性値の高さを持つ二次曲線で上記評価結果の図形を生成する個別評価結果図形作成部を備えたことを特徴とする請求項１記載の設備管理における設備評価の表示システム。
【請求項４】
上記評価結果図形作成部は、上記重み付けした設備の属性値の総計を算出して総合評価ポイントを計算して上記評価結果を求め、上記計算した総合評価ポイントを長さで表現した所定の幅を有する図形を生成する総合評価結果図形作成部を備えたことを特徴とする請求項３記載の設備管理における設備評価の表示システム。
【請求項５】
上記総合評価ポイントの図形の長さ方向の先端に設備のシンボルを有し、上記評価結果図形作成部は、上記総合評価ポイントの図形の長さ方向における設備のシンボルと反対方向の上記表示領域における角の点から上記各設備のシンボルの中心点までの距離を算出し、上記各設備のシンボルを上記角に近い順にソートし、上記ソートした順に上記総合評価ポイントの図形を描画することを特徴とする請求項３または４記載の設備管理における設備評価の表示システム。
【発明の詳細な説明】
【技術分野】
【０００１】
本発明は、サーバで地図データ、設備データを管理してネットワークを通じて配信し、利用者が設備の閲覧・評価を行う設備管理における設備評価の表示システムに関するものである。
【背景技術】
【０００２】
従来の地図データ、設備データを管理する情報装置は、ネットワークを通じた配信ではなく、主に専用の機器を使用するスタンドアロンの形態である。（例えば、特許文献１参照）
【０００３】
【特許文献１】特開平５−２０４３０３号公報（第２−４頁、図１−図４）
【発明の開示】
【発明が解決しようとする課題】
【０００４】
上記特許文献１のように、従来の地図データ、設備データを管理する情報装置はスタンドアロンの形態であったので、多数のユーザが利用することができないという問題があった。
【０００５】
また、専用の機器を使用するスタンドアロンの形態では、管理すべき設備データは老朽化を評価するためのデータ以外の多くの情報を含み、通信回線を利用したとしても、老朽化を評価するためのデータ以外の多くの情報をも受信することになり、例えば、回線速度が遅い環境のクライアント等が利用できるようにすることが困難であるという問題があった。
【０００６】
また、地図データ・設備データは、視覚的にわかりやすく表示することが必要であり、特に、設備データの複数の属性を一瞥して確認することができるようにすることが必要であるという問題があった。
【０００７】
本発明は上記のような問題を解決するためになされたものであり、通信回線を利用して多数のユーザが同時に利用することができるような設備管理における設備評価の表示システムを提供することを目的とする。
【０００８】
また、地図データ・設備データの複数の属性データを一瞥して確認することができるようにすることを目的とする。
【課題を解決するための手段】
【０００９】
本発明に係る設備管理における設備評価の表示システムは、設備配置の地図データを保持する地図データベース、設備の図形及び属性を保持する設備データベース、上記地図データベース及び設備データベースに接続するサーバ計算機、ネットワークを経由して上記サーバ計算機で生成したデータを取得し表示するクライアント計算機を備え、
上記サーバ計算機は、上記設備データベースから必要な設備データを検索して取得する第一設備データ管理部と、上記地図データベースから上記クライアント計算機からの要求に応じた縮尺、種類及び範囲の地図を検索する地図データ管理部と、上記クライアント計算機からの要求の受信、上記検索された地図データ及び設備データの送信を行う通信部とを備え、
上記クライアント計算機は、ユーザから指定される設備の評価に関する評価項目を設定する評価方法設定部と、上記評価方法設定部で設定された評価項目を上記サーバ計算機に送信する要求を管理するユーザ設定管理部と、上記サーバ計算機から送信された設備データを管理する第二設備データ管理部と、上記評価項目に応じた評価結果の図形を生成する評価結果図形作成部と、上記評価結果図形作成部で作成した評価結果の図形を表示するシンボル描画制御部と、上記サーバ計算機への地図表示要求及び送信された地図データを管理する地図データ管理部と、上記地図データ管理部が管理する地図データから地図の表示及びユーザの要求に応じた地図の切替を行う地図描画制御部と、上記ユーザ設定管理部で生成する要求の送信並びにユーザ設定管理部から地図データ及び設備データの受信を行う通信部とを備え、
上記サーバ計算機または上記クライアント計算機は、上記設備データベースを検索して取得した設備データから設備の評価に必要な情報に限定した共通データを作成する共通データ作成部を備え、
上記評価結果図形作成部は、上記共通データ作成部で作成された共通データから上記評価項目に応じた評価結果の図形を生成するものである。
【発明の効果】
【００１０】
サーバ計算機またはクライアント計算機に設備データベースを検索して取得した設備データから設備の評価に必要な情報に限定した共通データを作成する共通データ作成部を構成したので、サーバ計算機とクライアント計算機をネットワークを介して接続したＷｅｂシステムにより、多数のユーザが同時にシステムを利用できる。
【発明を実施するための最良の形態】
【００１１】
実施の形態１．
図１及び図２は、本発明に係る設備管理における設備評価の表示手段の実施の形態１を示す構成図である。
図１及び図２に示したように、本実施の形態１における設備管理における設備評価の表示手段は、設備配置の地図データを保持する地図データベース１、設備の図形と属性値を保持する設備データベース２、地図データベース１及び設備データベース２に接続するサーバ計算機３、ネットワークを経由してサーバ計算機３で生成したデータを取得し表示するクライアント計算機４を備えている。
【００１２】
サーバ計算機３は、設備データ管理の機能、地図データ管理の機能及びクライアント計算機４との通信の機能を有する。
設備データ管理の機能は、設備データベース２から必要な設備データを検索して取得する設備データ管理部５（第一設備データ管理部）と、設備データベース２を検索して取得した設備データから設備の評価に必要な評価項目に限定した共通データを作成する共通データ作成部６とで構成される。共通データは、本発明で定義するデータ保存形式であり、詳細は後述する。図１に示した共通データ作成部６は、サーバ計算機３とクライアント計算機４のスペックや通信の条件によって、サーバ計算機３側及びクライアント計算機４側のいずれにも設置可能であり、図２では、クライアント計算機４側に共通データ作成部１２を設けた場合とを示している。クライアント計算機４側で共通データを作成する場合は、設備データ管理部５はすべての設備データをクライアント計算機４側に送信する。
【００１３】
地図データ管理の機能は、地図データベース１からクライアント計算機４からの要求に応じた縮尺、種類及び範囲の地図を検索する地図データ管理部７で構成される。
【００１４】
通信機能は、クライアント計算機４からの要求の受信、地図データ及び設備データの送信を行う通信部８で構成される。
【００１５】
クライアント計算機４は、評価項目設定の機能、シンボル描画の機能、地図描画の機能及びサーバ計算機３との通信機能を有する。
評価項目設定の機能は、ユーザから指定される設備の評価に関する項目（評価条件、評価結果表示方法）を設定する評価方法設定部９、評価方法設定部９で設定された情報をサーバ計算機３に送信する要求を管理するユーザ設定管理部１０で構成される。
【００１６】
シンボル描画の機能は、サーバ計算機３から送信された設備データ（または共通データ）を管理する設備データ管理部１１（第二設備データ管理部）、クライアント計算機４で共通データを作成する場合に使用する共通データ作成部１２、共通データから各評価項目に応じた評価結果の図形を生成する評価結果図形作成部（個別評価結果図形作成部１３、各評価の結果から算出した総合評価結果の図形を生成する総合評価結果図形作成部１４）、個別評価結果図形作成部１３または総合評価結果図形作成部１４で作成した図形を図形間の位置を考慮して表示するシンボル描画制御部１５で構成される。
【００１７】
地図描画の機能は、サーバ計算機３への地図表示要求や、送信された地図データを管理する地図データ管理部１６、地図データ管理部１６が管理する地図データから地図の表示及びユーザの要求に応じた地図の切替を行う地図描画制御部１７で構成される。
【００１８】
通信機能は、ユーザ設定管理部１０で生成する要求の送信、ユーザ設定管理部１０から地図データや設備データの受信を行う通信部１８で構成される。
【００１９】
本実施の形態１によれば、クライアント計算機４に設備データベース２を検索して取得した設備データから設備の評価に必要な情報に限定した共通データを作成する共通データ作成部１２を構成したので、サーバ計算機３とクライアント計算機４をネットワークを介して接続したＷｅｂシステムにより、通信量が低減され、多数のユーザが同時にシステムを利用できる。
【００２０】
また、サーバ計算機３に設備データベース２を検索して取得した設備データから設備の評価に必要な情報に限定した共通データを作成する共通データ作成部６を構成したので、クライアント計算機４への情報の転送量を削減することができる。
【００２１】
実施の形態２．
図３は、共通データの概要を示す図であり、図４は、図１及び図２の共通データ作成部６，１２の詳細を示す構成図である。
【００２２】
一般に、設備データ２２は、台帳２１で管理するような大量のデータを保持している。本発明では、評価対象の項目と、地図データにおける設備の位置を示す図形情報と、図形情報から属性を検索する際のキーとなる図形ＩＤの３つの情報のみを保持する共通データ２３を定義する。
【００２３】
図３に示したように、共通データ作成部６は、データベース、ファイル、他システムで使用されているオブジェクトなどの任意の保持形式の設備データ３１に対応できるように共通データインターフェース３３を備えている。この共通データインターフェース３３を共通データインターフェース３３に合わせたアダプター３２を介して実装することにより、入力データを汎用化することができる。
【００２４】
本発明では、設備データを共通データ化することで、システムで使用する際の共通データ化された設備データのオブジェクトサイズを軽減することができる。
【００２５】
本実施の形態２によれば、サーバ計算機３では共通データ作成部６を持たせたので、クライアント計算機４への情報の転送量を削減し、メモリ消費量を削減することができるという効果がある。クライアント計算機４では、必要な情報量が軽量化して送られてくるため、表示や評価計算時に行う属性検索の母数が減少し、検索効率が向上するという効果がある。
【００２６】
また、共通データインターフェース３３により、入力データが汎用化されるので、共通データ化された後の処理を標準化することができる。
【００２７】
なお、共通データ作成部６は、設備データベース２を検索して取得した設備データから設備の評価に必要な評価項目に限定した共通データを作成するためのものであり、サーバ計算機３及びクライアント計算機４の機能に依存せず、サーバ計算機３及びクライアント計算機４のいずれに配置してもよいものである。
【００２８】
実施の形態３．
図５は、図１及び図２の個別評価結果図形作成部１３について、設備の老朽化を調査する方法を例として示し、図６は、調査した結果を地図上のシンボルの大きさと色とで表示する一般的な方法を示し、図７は、本実施の形態３における設備の異なる属性を示す例を示す方法を示している。
【００２９】
一般的な地理情報システムにおいて、設備の老朽化を調査する方法として、図５に示したように、設備の属性データを地図上に表示された設備４１から選択して一覧４２に表示する方法がある。この場合、地図を参照するだけでは、どの設備が最も老朽化しているか、あるいは設備の何処が老朽化が激しいかなど、全体的な評価結果を参照することができない。
【００３０】
また、図６に示したように、各設備の属性の値５１に対して地図上のシンボルの大きさと色を関連付けて表示する方法５２があるが、色の表示（立地条件を色で表示している）と大きさの表示（年数を表示している）では全体の評価ができない。
【００３１】
本実施の形態３では、調査対象となる設備の属性データは年数、あるいは件数というように単位が異なるので、図７に示したように、調査対象となる設備の異なる属性データを数値として一意的に比較できるように、対象としているシステムがどのようなものを指向しているかに応じて設備の属性に重み付６１をする。また、視認性を高めるために属性数を三つとし、三軸方向（ここでは、事故件数軸、年数軸及び立地条件軸）に重み付けした値の高さを持つ二次曲線で表現するもの６２とする。
【００３２】
本実施の形態３によれば、複数の異なる属性データを一瞥して総合的に評価できる形状に表示することができる。
【００３３】
また、二次曲線とすることにより、表示領域が高さだけでなく面積で表示されるので視認性が高められる。
【００３４】
また、属性数を三つとしたのは、直感的に比較できる図形は三つ程度であるからであり、対象としているシステムによっては、属性数を増やしてもよい。
【００３５】
また、各三つの軸（評価軸）の目盛りの単位６３は、属性データに各属性の重みを乗算した値６１とすることにより、対象としているシステムの指向に応じた適正な評価ができる。
【００３６】
実施の形態４．
図８は、図１及び図２の総合評価結果図形作成部１４における、設備の総合評価方法を示す図である。
【００３７】
本実施の形態４では、図８に示したように、上記実施の形態３における属性データを重み付けした値６１の総計を算出して総合評価ポイント７１を計算し、計算値をＺ軸方向の長さとし、任意の幅を有する面積のシンボル７２で表示する。
【００３８】
本実施の形態４によれば、設備の全体評価をＺ軸方向の長さで一瞥して評価できる形状に表示することができる。
【００３９】
また、表示領域が高さだけでなく幅を有する面積で表示されるので、視認性が高められる。
【００４０】
実施の形態５．
図９ないし図１２は、図１及び図２の個別評価結果図形作成部１３及び総合評価結果図形作成部１４における、表示方法を示す図であり、図９は、設備を表すシンボルと、設備の評価結果を表すシンボルとの表示領域の大きさの違いを示し、図１０は、一般的な設備の分布を示し、図１１は、図１０の設備の分布において設備の評価結果を表すシンボルを単純に描画した場合の問題点を示し、図１２は、図１１に示した問題点を解決した状態を示している。
【００４１】
図９に示したように、設備を表すシンボル８１の表示領域８３に比較して、設備の評価結果を表すシンボル８２の表示領域８４は大きくなり、図１０に示した設備の分布において、単純に設備番号順に設備の評価結果を表すシンボルを表示した場合、図１１に示したように、設備９１のシンボルが設備９２のシンボルに隠れ、評価結果を確認することができなくなる。
【００４２】
本実施の形態５では、図１２（ａ）及び（ｂ）に示したように、表示領域１０１の左下点１０２から各設備を表すシンボルの中心点までの距離を算出し、左下点１０２に近い順（距離昇順）にソートし、ソートした順に描画することにより、図１２（ｃ）に示したように、設備９２のシンボルの上に設備９１のシンボルが描画され視認性が高められる。
【００４３】
なお、本実施の形態５の説明では、評価結果を表すシンボルの先端の設備を表すシンボルが左下点から右上点に向かって表示される例を示したが、右下点から左上に向かって表示される場合、左上点から右下点に向かった表示される場合、右上点から左下点に向かって表示される場合があり、それぞれ表示される向きと反対側の点から各設備を表すシンボルの中心点までの距離を算出し、距離昇順にソートすればよい。
【産業上の利用可能性】
【００４４】
サーバで地図データ、設備データを管理してネットワークを通じて配信し、利用者が設備の閲覧・評価を行う設備管理における設備評価の表示システムに有効に利用することができる。
【図面の簡単な説明】
【００４５】
【図１】本発明に係る設備管理における設備評価の表示手段の実施の形態１を示す構成図である。
【図２】本発明に係る設備管理における設備評価の表示手段の実施の形態１を示す構成図である。
【図３】共通データの概要を示す図である。
【図４】図１の共通データ作成部６，１２の詳細を示す構成図である。
【図５】図１の個別評価結果図形作成部１３について、設備の老朽化を調査する方法を示した図である。
【図６】調査した結果を地図上のシンボルの大きさと色とで表示する一般的な方法を示す図である。
【図７】本実施の形態３における設備の異なる属性を表示する方法を示す図である。
【図８】図１の総合評価結果図形作成部１４における、設備の総合評価方法を示す図である。
【図９】図１の個別評価結果図形作成部１３における、表示方法を示す図である。
【図１０】図１の個別評価結果図形作成部１３における、表示方法を示す図である。
【図１１】図１の個別評価結果図形作成部１３における、表示方法を示す図である。
【図１２】図１の個別評価結果図形作成部１３における、表示方法を示す図である。
【符号の説明】
【００４６】
１  地図データベース、２  設備データベース、３  サーバ計算機、
４  クライアント計算機、５  設備データ管理部、６，１２  共通データ作成部、
７  地図データ管理部、８，１８  通信部、９  評価方法設定部、
１０  ユーザ設定管理部、１１  設備データ管理部、１３  個別評価結果図形作成部、
１４  総合評価結果図形作成部、１５  シンボル描画制御部、２１  台帳、
２２  設備データ、２３  共通データ、３１  設備データ、３２  アダプター、
３３  共通データインターフェース、４１  設備、４２  一覧、
４３  調査に必要な情報、５１  設備の属性の値、
５２  シンボルの大きさと色を関連付けて表示する方法、６１  重み付、
６２  重み付けした値の高さを持つ二次曲線で表現するもの、６３  目盛りの単位、
７１  総合評価ポイント、７２，８１，８２  シンボル、
８３，８４，１０１  表示領域、９１，９２，９３，９４，９５，９６  設備、
１０２  表示領域の左下点。
【図１】
2007248682.tif 000003
【図２】
2007248682.tif 000004
【図３】
2007248682.tif 000005
【図４】
2007248682.tif 000006
【図５】
2007248682.tif 000007
【図６】
2007248682.tif 000008
【図７】
2007248682.tif 000009
【図８】
2007248682.tif 000010
【図９】
2007248682.tif 000011
【図１０】
2007248682.tif 000012
【図１１】
2007248682.tif 000013
【図１２】
2007248682.tif 000014